(57)【要約】【課題】プラスチック製の保護ケースや封筒を用いずにディスクメディアを保護することができ、開封しやすく、ディスクメディアの出し入れが容易であり、ディスクメディアを保護する専用の収容ケースとしての受取人の使用に好適なディスクメディア送付物を提供する【解決手段】折り目Ｂを境として表紙２Ａ及び裏表紙２Ｂとなる矩形状の外側紙２、表紙２Ａ及び裏表紙２Ｂの一方又は両方の内側に形成された、小口側の開口部３ＡからディスクメディアＡが挿入される、袋状又はスリーブ状のディスクメディア収容部３、折り目Ｂから外側紙２を２つ折りにした際に外側紙２の内側に収容される、情報表示部Ｃを有する保形用紙部材４、表紙２Ａ及び裏表紙２Ｂの一方の小口側端を延出してなる延出片７を備えた。外側紙２を２つ折りにして延出片７を折り曲げ、外側紙２の小口側を連結した状態で送付する。【選択図】図５
2016011141.tif 000002
【特許請求の範囲】
【請求項１】
ディスクメディアを収容した状態で送付される送付物であって、
折り目を境として表紙及び裏表紙となる矩形状の外側紙と、前記表紙及び前記裏表紙の一方又は両方の内側に形成された、小口側の開口部からディスクメディアが挿入される、袋状又はスリーブ状のディスクメディア収容部と、
前記折り目から前記外側紙を２つ折りにした際に前記表紙及び前記裏表紙により挟まれるように前記外側紙の内側に収容される、情報表示部を有する保形用紙部材と、
前記表紙及び前記裏表紙の一方の小口側端を延出してなる延出片とを備え、
前記外側紙を２つ折りにして前記延出片を折り曲げ、前記外側紙の小口側を連結した状態で送付されるディスクメディア送付物。
【請求項２】
前記保形用紙部材が、前記外側紙の内面及び１つの前記ディスクメディア収容部の内面、又は２つの前記ディスクメディア収容部の内面に取り付けられた、前記外側紙を開くと自動的に広く拡大し、前記外側紙を閉じると自動的に折り畳まれる折り畳み体である請求項１記載のディスクメディア送付物。
【請求項３】
前記保形用紙部材が、前記外側紙に中綴じされた、２つ折り状態の単又は複数の内側紙からなる冊子体である請求項１記載のディスクメディア送付物。
【発明の詳細な説明】
【技術分野】
【０００１】
本発明は、ＣＤやＤＶＤ等のディスクメディアを収容した状態で送付される送付物に関する。
【背景技術】
【０００２】
ＣＤ、ＤＶＤ又はＢＤ等のディスクメディア（円盤状の情報媒体）を個人（自然人）や法人あてに送付するためのディスクメディア送付物として、前記ディスクメディアをプラスチック製の保護ケースに収容した状態で封筒や箱に入れて送付するものがある。
また、前記プラスチック製の保護ケースを無くしてコンパクト化を図り、郵便料金や宅配料金を低減するディスクメディア送付物として、左右のカバー紙（１，２）及び折り返し片（３）により袋状に形成されるパッケージ（ＰＫ）にＣＤ（１０）を収容し、カバー紙（１，２）の間に綴じ込まれた、ＣＤ（１０）の解説文や案内文等が印刷された小冊子（ＢＴ）とともに、プラスチックフィルム製の封筒（ＴＦ）に封入して郵送するもの（特許文献１）、ＣＤ−ＲＯＭ（２）の情報読み出し面全面に保護シート（３）を貼付し、帳票や薄手の冊子からなる台紙（４）とともに封筒（１）に封入して郵送するもの（特許文献２）等がある。
【０００３】
さらに、封筒を無くしたディスクメディア送付物の例として、ディスクメディア専用の送付物ではない冊子状の送付物であるが、複数の紙片を綴じて製本した冊子状のカタログやパンフレット（１）の表紙（２ａ）と裏表紙（２ｂ）を小口側で剥離可能に連結し、裏表紙（２ｂ）の内側に形成された、綴じ目側に開口するポケット状の収納部（５）にＣＤ−ＲＯＭ等を収納するものがある（特許文献３の図３（ｂ）並びに段落［００２３］及び［００２７］参照）。
【０００４】
さらにまた、ディスクメディア送付物ではないが、表面に各種の案内や地図が記載された折畳み紙（２）をいわゆる「トルコ折り」（Turkish Map Fold）し、折り畳んだ状態の折畳み紙（２）を、一側において開閉自在に接合した２枚の台紙（１，１）間に貼着するとともに、台紙（１，１）間に挟み込んで小冊子としたものがある（特許文献４参照）。
特許文献４の小冊子によれば、折畳み紙（２）の表面に記載された各種の案内や地図を見るときは、台紙（１，１）を開くことにより、折畳み紙（２）が自動的に広く拡大されて全開した見開き状態となり、小冊子をしまうときは、台紙（１，１）を閉じることにより、折畳み紙（２）が自動的に折り畳まれてコンパクトな形態になる。
【先行技術文献】
【特許文献】
【０００５】
【特許文献１】登録実用新案第３０５９９３９号公報
【特許文献２】特開２００５−１１９６７４号公報
【特許文献３】特開２００６−０５１６２７号公報
【特許文献４】登録実用新案第３０７３９８２号公報
【発明の概要】
【発明が解決しようとする課題】
【０００６】
以上のような従来のディスクメディア送付物において、特許文献１及び２のような封筒を用いるものでは、送付する際にディスクメディア及び小冊子又は台紙を封筒に入れて封緘する作業に手間が掛かる。その上、受け取った際に受取人が開封しにくいため、個人や法人に商品案内やカタログ等を送付するダイレクトメールに用いた場合には、開封率が低下する。
それに対して、特許文献３の冊子状の送付物は、封筒を用いないので、送付する際における前記作業に手間が掛からないとともに、受け取った際における開封が容易である。
【０００７】
しかしながら、特許文献３の冊子状の送付物は、Ａ４サイズ等のより大型のカタログやパンフレットの送付を目的としており、比較的大きな収納部を簡易に設けるために、表紙又は裏表紙を延出してなる例えば天地の長さが２９７ｍｍで幅が約１２０ｍｍの折り返し片を折り返して、綴じ目側に開口するポケット状の収納部を形成しているので、前記収納部に収容されたディスクメディア等に対して小口側からアクセスすることができない。
よって、特許文献３の冊子状の送付物は、送付する際にポケット状の収納部へディスクメディアを入れにくい場合や、受け取った際に受取人が前記収納部からディスクメディアを出しにくい場合があるとともに、受取人がディスクメディアを保護する専用の収容ケースとして使用しにくいものである。
【０００８】
そこで本発明が前述の状況に鑑み、解決しようとするところは、ＣＤやＤＶＤ等のディスクメディアを個人や法人あてに送付するディスクメディア専用の送付物として、プラスチック製の保護ケースや封筒を用いずにディスクメディアを保護することができ、開封しやすく、ディスクメディアの出し入れが容易であり、ディスクメディアを保護する専用の収容ケースとしての受取人の使用に好適なディスクメディア送付物を提供する点にある。
【課題を解決するための手段】
【０００９】
本発明に係るディスクメディア送付物は、前記課題解決のために、ディスクメディアを収容した状態で送付される送付物であって、折り目を境として表紙及び裏表紙となる矩形状の外側紙と、前記表紙及び前記裏表紙の一方又は両方の内側に形成された、小口側の開口部からディスクメディアが挿入される、袋状又はスリーブ状のディスクメディア収容部と、前記折り目から前記外側紙を２つ折りにした際に前記表紙及び前記裏表紙により挟まれるように前記外側紙の内側に収容される、情報表示部を有する保形用紙部材と、前記表紙及び前記裏表紙の一方の小口側端を延出してなる延出片とを備え、前記外側紙を２つ折りにして前記延出片を折り曲げ、前記外側紙の小口側を連結した状態で送付されるものである。
【００１０】
このような構成によれば、２つ折りにした外側紙の内側に保形用紙部材を収容しているので、外側紙と保形用紙部材により送付物の剛性が高くなって変形しにくくなるとともに、衝撃が緩和されるため、送付する際にディスクメディアを保護できる。
よって、プラスチック製の保護ケースが不要になり、コンパクト化が図れるため、郵便料金や宅配料金を低減できる。
その上、封筒を用いないので、送付する際に封筒に入れて封緘する作業が不要であるため送付作業に手間が掛からないとともに、受け取った際に開封しやすいため、個人や法人に商品案内やカタログ等を送付するダイレクトメールに用いた場合における開封率が高くなる。
その上さらに、２つ折りされる外側紙の内側に形成されたディスクメディア収納部の小口側が開口しているので、小口側からアクセスしてディスクメディアを出し入れできるため、送付する際のディスクメディアの挿入、受け取った後のディスクメディアの取り出しが非常に容易になる。
その上、受取人が受け取った後においてもディスクメディアの出し入れを小口側の開口部から容易に行えるとともに、プラスチック製の保護ケースのように嵩張らずに省スペースで保管できるため、ディスクメディアを保護する専用の収容ケースとして重宝する。
【００１１】
ここで、前記保形用紙部材が、前記外側紙の内面及び１つの前記ディスクメディア収容部の内面、又は２つの前記ディスクメディア収容部の内面に取り付けられた、前記外側紙を開くと自動的に広く拡大し、前記外側紙を閉じると自動的に折り畳まれる折り畳み体であると好ましい。
このような構成によれば、外側紙をディスクジャケットとして写真や内容説明等の情報表示部として利用しながら、２つ折りした外側紙を開いた見開き状態にすると、保形用紙部材である折り畳み体が自動的に広く拡大するので、このような拡大した全面を情報表示部として利用できるため、この情報表示部に商品説明や宣伝広告等を印刷した際における受取人に与える効果（宣伝広告効果等）が大きくなる。
その上、外側紙を閉じると折り畳み体が自動的に折り畳まれるので、コンパクトな形態に復帰させた状態で保管できる。
【００１２】
また、前記保形用紙部材が、前記外側紙に中綴じされた、２つ折り状態の単又は複数の内側紙からなる冊子体であると好ましい。
このような構成によれば、外側紙をディスクジャケットとして写真や内容説明等の情報表示部として利用しながら、冊子体の情報表示部を、説明書、歌詞カード、アルバム等として利用できるため、ディスクメディアを保護する専用の収容ケースとして好適なものとなる。
【発明の効果】
【００１３】
以上のように、本発明に係るディスクメディア送付物によれば、
（１）外側紙を２つ折りにした際に外側紙の内側に保形用紙部材を収容しているので、外側紙と保形用紙部材により送付物の剛性が高くなって変形しにくくなるとともに、衝撃が緩和されるため、プラスチック製の保護ケースを用いずにディスクメディアを保護できること、
（２）封筒を用いないので、送付作業に手間が掛からないとともに、開封しやすいため、ダイレクトメールに用いた場合における開封率が高くなること、
（３）ディスクメディア収納部の小口側が開口しているので、小口側からアクセスしてディスクメディアを出し入れできるため、送付する際のディスクメディアの挿入、受け取った後のディスクメディアの取り出しが非常に容易になること、
（４）受け取った後においてもディスクメディアの出し入れを小口側から容易に行えるとともに、プラスチック製の保護ケースのように嵩張らずに省スペースで保管できるため、ディスクメディアを保護する専用の収容ケースとして重宝すること、
等の顕著な効果を奏する。
【図面の簡単な説明】
【００１４】
【図１】本発明の実施の形態１に係るディスクメディア送付物を送付する際の形態を示す斜視図である。
【図２】同じく（ａ）は正面図、（ｂ）は右側面図である。
【図３】外側紙（表紙及び裏表紙）を少し開いた状態を示す右側面図である。
【図４】同じく斜視図である。
【図５】同じく斜視図であり、ディスクメディア収納部へディスクメディアを途中まで入れた状態を示している。
【図６】外側紙（表紙及び裏表紙）を略全開にして、保形用紙部材である折り畳み体が自動的に広く拡大した状態を示す斜視図である。
【図７】本発明の実施の形態２に係るディスクメディア送付物において、外側紙（表紙及び裏表紙）を略全開にして、保形用紙部材である折り畳み体が自動的に広く拡大した状態を示す斜視図である。
【図８】同じく外側紙（表紙及び裏表紙）を少し開いた状態を示す右側面図である。
【図９】本発明の実施の形態３に係るディスクメディア送付物において、外側紙（表紙及び裏表紙）を略全開にした状態を示す斜視図である。
【発明を実施するための形態】
【００１５】
実施の形態１．
図１の斜視図、図２（ａ）の正面図、図２（ｂ）及び図３の縦断右側面図、並びに、図４〜図６の斜視図に示すように、本発明の実施の形態１に係るディスクメディア送付物１は、ＣＤ、ＤＶＤ又はＢＤ等のディスクメディア（円盤状の情報媒体）Ａ（図５及び図６参照）を収容した状態で、個人（自然人）や法人あてに送付される。
ディスクメディア送付物１は、折り目Ｂを境として表紙２Ａ及び裏表紙２Ｂとなる矩形状の外側紙２、表紙２Ａ及び裏表紙２Ｂの一方（本実施の形態では裏表紙２Ｂ）の内側に形成された、小口側の開口部３ＡからディスクメディアＡが挿入されるディスクメディア収容部３（図３〜図６参照）、折り目Ｂから外側紙２を２つ折りにした際に表紙２Ａ及び裏表紙２Ｂにより挟まれるように外側紙２の内側に収容される、情報表示部Ｃ（図４〜図６参照）を有する保形用紙部材４である折り畳み体５、並びに表紙２Ａ及び裏表紙２Ｂの一方（本実施の形態では裏表紙２Ｂ）の小口側端を延出してなる延出片７を備えている。
【００１６】
ディスクメディア収容部３（図３〜図６参照）にディスクメディアＡが挿入した後、外側紙２を２つ折りにした状態で延出片７を表紙２Ａ側へ折り曲げ、延出片７を表紙２Ａの表面に当て付けて剥離可能に接着することにより、外側紙２の小口側を連結した形態（図１及び図２参照）となり、延出片７により開口部３Ａが塞がれるので、この形態のままでディスクメディア送付物１を送付できる。
ここで、外側紙２はディスクジャケットとして写真や内容説明等の情報表示部として利用できる。
【００１７】
なお、図１及び図２（ａ）に示す宛名は、宛名に記載された受取人が、ディスクメディアＡを保護する専用の収容ケースとして送付物１を使用すること考慮すると、宛名が印刷された剥離シールを貼付するのが好ましい。
また、本実施の形態におけるディスクメディアＡは直径が１２ｃｍであるので、図２（ａ）に示すディスクメディア送付物１の正面から見た形状を正方形とし、一辺の長さを約１５ｃｍとしているが、本発明はこのような形状及びサイズに限定されない。
すなわち、正面から見た形状は正方形に限定されるものではなく長方形であってもよく、ディスクメディアＡの専用ケースとしての使用及び保管するスペースの効率を考慮すると、一辺の長さは約１２．５ｃｍ〜約１５ｃｍにするのが好ましい。
【００１８】
図３〜図６に示すディスクメディア収容部３は、小口側（自由端縁側）に開口部３Ａが形成されるように裏表紙２Ｂの内側に設けられた袋状又はスリーブ状のものである。
また、保形用紙部材４である折り畳み体５は、図６に示すように、２本の山折線８Ａ及び４本の山折線８Ｂ、並びに、４本の谷折線９Ａ、４本の谷折線９Ｂ、及び４本の谷折線９Ｃが形成され、いわゆる「トルコ折り」（Turkish Map Fold）の山折線及び谷折れ線を有しており、ディスクメディア収容部３の内側及び表紙２Ａの内側に取り付けられる。
【００１９】
よって、図６のように外側紙２を開いた状態から外側紙を閉じると、外側紙２の形態の変化に伴って図３及び図４のように自動的に折り畳まれる。
また、図１及び図２のように外側紙２を閉じた状態から、延出片７を剥離させた後、外側紙２を開くと、図３及び図４の形態を経て図６の形態のように、外側紙２の形態の変化に伴って自動的に広く拡大する。
このように広く拡大した内面全体を情報表示部Ｃとして利用できるため、この情報表示部Ｃに商品説明や宣伝広告等を印刷した際における受取人に与える効果（宣伝広告効果等）が大きくなる。
その上、外側紙２を閉じると折り畳み体５が自動的に折り畳まれるので、図１及び図２のようにコンパクトな形態に復帰させた状態で保管できる。
なお、折り畳み体５は、「トルコ折り」に限定されるものではなく、外側紙２を開くと自動的に広く拡大し、外側紙２を閉じると自動的に折り畳まれるものであればよい。
【００２０】
実施の形態２．
図７の斜視図及び図８の縦断右側面図に示す本発明の実施の形態２に係るディスクメディア送付物１は、表紙２Ａ及び裏表紙２Ｂの両方の内側にディスクメディア収納部３，３を形成したものであり、実施の形態１の図１〜図６と同一符号は同一又は相当部分を示しているので、各部分の詳細説明は省略する。
図７及び図８において、保形用紙部材４である折り畳み体５は、２つのディスクメディア収容部３，３の内側に取り付けられる。
このような構成によれば、小口側を開口部３Ａ，３Ａとした２つのディスクメディア収納部３，３にディスクメディアＡ，Ａを収納して送付できるので、特に容量の大きい音楽ＣＤや映像ＤＶＤ等の送付、及び受取人の保管に好適である。
【００２１】
実施の形態３．
図９の斜視図に示す本発明の実施の形態３に係るディスクメディア送付物１は、保形用紙部材４を冊子体６にしたものであり、実施の形態１の図１〜図６と同一符号は同一又は相当部分を示しているので、各部分の詳細説明は省略する。
冊子体６は、外側紙２に中綴じされた、２つ折り状態の内側紙６Ａ，６Ｂにより構成され、内側紙６Ａ，６Ｂの４枚の紙片の表裏面が情報表示部Ｃになる。
なお、内側紙は１枚であってもよく、３枚以上であってもよい。
このような構成によれば、外側紙２をディスクジャケットとして写真や内容説明等の情報表示部として利用しながら、冊子体６の情報表示部Ｃを、説明書、歌詞カード、アルバム等として利用できるため、特に音楽ＣＤや映像ＤＶＤ等の送付、及び受取人の保管に好適である。
【００２２】
以上の説明における外側紙２、ディスクメディア収容部３、保形用紙部材４（折り畳み体５及び冊子体６）は、天然紙のみならず、合成紙等のシート状物から製造してもよい。
【００２３】
以上のようなディスクメディア送付物１によれば、２つ折りにした外側紙２の内側に保形用紙部材４を収容しているので、外側紙２と保形用紙部材４により送付物１の剛性が高くなって変形しにくくなるとともに、衝撃が緩和されるため、送付する際にディスクメディアＡを保護できる。
よって、プラスチック製の保護ケースが不要になり、コンパクト化が図れるため、郵便料金や宅配料金を低減できる。
また、封筒を用いないので、送付する際に封筒に入れて封緘する作業が不要であるため送付作業に手間が掛からないとともに、受け取った際に開封しやすいため、個人や法人に商品案内やカタログ等を送付するダイレクトメールに用いた場合における開封率が高くなる。
さらに、２つ折りされる外側紙２の内側に形成されたディスクメディア収納部３の小口側が開口しているので、小口側からアクセスしてディスクメディアＡを出し入れできるため、送付する際のディスクメディアＡの挿入、受け取った後のディスクメディアＡの取り出しが非常に容易になる。
さらにまた、受取人が受け取った後においてもディスクメディアＡの出し入れを小口側の開口部３Ａから容易に行えるとともに、プラスチック製の保護ケースのように嵩張らずに省スペースで保管できるため、ディスクメディアＡを保護する専用の収容ケースとして重宝する。
【符号の説明】
【００２４】
Ａ  ディスクメディア
Ｂ  折り目
Ｃ  情報表示部
１  ディスクメディア送付物
２  外側紙
２Ａ  表表紙
２Ｂ  裏表紙
３  ディスクメディア収容部
３Ａ  開口部
４  保形用紙部材
５  折り畳み体
６  冊子体
６Ａ，６Ｂ  内側紙
７  延出片
８Ａ，８Ｂ  山折線
９Ａ，９Ｂ，９Ｃ  谷折線
【図１】
2016011141.tif 000003
【図２】
2016011141.tif 000004
【図３】
2016011141.tif 000005
【図４】
2016011141.tif 000006
【図５】
2016011141.tif 000007
【図６】
2016011141.tif 000008
【図７】
2016011141.tif 000009
【図８】
2016011141.tif 000010
【図９】
2016011141.tif 000011